(57)【要約】  本発明は、上顎洞膜挙上用ドリルを開示する。  本発明は、上顎洞内膜と面接触をなす曲面処理された枠を持つ接触面と前記接触面に繋がって削除された骨片を保管・排出するための骨保持空間と、を含み、前記骨保持空間は、切削方向に向ける第１の内側壁とこの第１の内側壁と対向する第２の内側壁とが繋がることにより形成され、前記第１の内側壁は、前記第２の内側壁より高く形成されることにより、切削方向に露出する切削面を更に含む構成である。  このように構成される本発明は、上顎骨に接触するドリルの端部であるヘッドが、段差や角の無い丸い形状に提供されることで、前記ヘッドが上顎骨を完全に貫通して、上顎洞内膜に接触する場合にも、上顎洞内膜に対する裂け及び損傷を未然に防止することができ、施術の安全性を高められるだけでなく、施術時間を大幅に短縮できるという利点がある。
2010533539.tif 000002
【特許請求の範囲】
【請求項１】
上顎洞内膜と面接触をなす曲面処理された枠を持つ接触面と前記接触面に繋がって削除された骨を保管・排出するための骨保持空間と、を含み、前記骨保持空間は、切削方向に向ける第１の内側壁とこの第１の内側壁と対向する第２の内側壁とが繋がることにより形成され、前記第１の内側壁は、前記第２の内側壁より高く形成されることにより、切削方向に露出する切削面を更に含むことを特徴とする上顎洞膜挙上用ドリル。
【請求項２】
前記接触面は、長尺のボディーの一側に一体に形成されるもので、前記ボディーの直径に比べて同一又は拡張された直径を持つか、又は、縮小された直径を持つヘッドに備えられることを特徴とする請求項１に記載の上顎洞膜挙上用ドリル。
【請求項３】
前記骨保持空間は、軸線を含むことを特徴とする請求項１に記載の上顎洞膜挙上用ドリル。
【請求項４】
前記ボディーは、選択的に歯科用ハンドピースに繋がるサンクが一体に形成されることを特徴とする請求項２に記載の上顎洞膜挙上用ドリル。
【請求項５】
前記ボディーは、直径が広がった円筒形の嵌め込み部とこの嵌め込み部の一側に直径が広がった円盤状の後退防止板とが形成され、前記嵌め込み部には、中空の管状を持つもので、前記ヘッドの上顎骨の削除深さを制限するストッパーが選択的に備えられることを特徴とする請求項２に記載の上顎洞膜挙上用ドリル。
【請求項６】
前記骨保持空間は、前記ヘッドからボディーの一側を貫通した穴に形成されることを特徴とする請求項２に記載の上顎洞膜挙上用ドリル。
【請求項７】
前記骨保持空間は、前記ヘッドからボディーの一側に凹んだ溝に形成されることを特徴とする請求項２に記載の上顎洞膜挙上用ドリル。
【請求項８】
前記第１の内側壁と第２の内側壁とを含む骨保持空間は、接触面から見た場合、円形、三角形、多角形状のいずれか一つであることを特徴とする請求項１に記載の上顎洞膜挙上用ドリル。
【請求項９】
前記骨保持空間は、接触面の軸線を中心に１〜３つに形成されることを特徴とする請求項１に記載の上顎洞膜挙上用ドリル。
【請求項１０】
前記接触面は、表面が平坦面、凸に突出された曲面、軸線を中心に周辺部に向けて傾斜を持つ傾斜面のいずれか一つであることを特徴とする請求項１に記載の上顎洞膜挙上用ドリル。
【請求項１１】
骨保持空間は、削除骨が次第に排出され得るように、接触面から後方側へ進みながら、平行又は広がるように形成されることを特徴とする請求項１に記載の上顎洞膜挙上用ドリル。
【請求項１２】
前記骨保持空間は、少なくとも２つ以上が備えられ、その一つは、軸線を含むように形成されることを特徴とする請求項１に記載の上顎洞膜挙上用ドリル。
【請求項１３】
前記ストッパーは、
前記嵌め込み部に弾性的に嵌め込まれるもので、等間隔をおいて長さ方向に沿って形成されるスリットにより分割して備えられる弾性片となる弾性部と;前記弾性部から延長形成される支持管部と;前記支持管部から延長形成され、前記ヘッドを収容できるほど拡張された直径を持つ接触管部と、
を含んで構成されることを特徴とする請求項５に記載の上顎洞膜挙上用ドリル。
【発明の詳細な説明】
【技術分野】
【０００１】
本発明は、歯科用インプラントの植立のための施術に使われるドリルに関し、より詳細には、上部の顎骨である上顎骨の穿孔を安全かつ精密に実施できるようにして、施術の安全性を保障し、施術の便宜性を保障できるようにする上顎洞膜挙上用ドリルに関する。
【背景技術】
【０００２】
一般的に、歯科用インプラントとは、人体の歯牙が喪失された時、これを代替する人工構造物を称するものであって、喪失された歯牙の歯根(根)に代われるように、人体に拒否反応のないチタニウム(Titanium)などの合金で作られた人工歯根を、歯が抜け出た歯槽骨に植え込んで癒着させた後、人工歯牙を固定させ、歯牙の元の機能を回復する機能を持つ。
【０００３】
このようなインプラントの施術を考察してみると、大きく、インプラント植立のために、軟組織の切開及び剥離手術と、骨削除手術と、インプラント植立手術と、上部補綴物の完成とに大別され、軟組織の切開及び剥離手術は、一般歯周手術の原理と大して違わない。ここで、骨削除手術は、大きく、皮質骨を削除し、海綿骨を削除する過程であり、基本原理は、植立すべき周囲の骨を研磨し、植立部位を表示した後、皮質骨に穴を小さく開け、次第に広げて、植立しようとするインプラントの直径とほぼ同じか、若干小さな大きさまで拡大した後、インプラントを植立するものである。
【０００４】
一方、インプラントは、穿孔用工具の一種であるドリルを使用して患者の歯槽骨を穿孔してから植立するが、この場合、歯槽骨の穿孔作業は、多くの時間がかかるだけでなく、施術の難易度が高くて、非常に重要である。
【０００５】
ここで、インプラントを植立するための通常のドリル穿孔作業を簡略に考察してみると、まず、歯牙が損失された部位の歯槽骨の上段部を切開して広げた後、インプラントの位置と方向を決定するために製作されたサジカル・ガイド(Surgical  Guide)を装着し、初期のドリルとしてポイントドリルを使用して水を供給しながら、歯槽骨の表面にインプラントの植立位置を設定し、次いで、ファースト・ドリル(First  Drill)に交替して歯槽骨に水を供給しながら、前記穴を広げた後、パイロット・ドリル(Pilot  Drill)に交替して歯槽骨に水を供給しながら、前記穴の上端部を拡張する。このような過程を介して、所定の深さの穴を小さいサイズから大きいサイズに漸次穴を広めてドリリングする。次いで、ファイナル・ドリル(Final  Drill)に交替して歯槽骨に水を供給しながら、前記穴の下端部を拡張する。続いて、タップ・ドリル(Tap  Drill)に交替して歯槽骨に水を供給しながら、前記穴にねじ山を形成する。そして、前記ねじ山が形成されたねじ孔にフィクスチャーを、所定の機構を用いて結合した後、フィクスチャーに支台柱を締結して、前記支台柱に人工歯牙を接着剤を用いて固定する。
【０００６】
特に、患者のうち、相当数は、インプラントを施術し難しい口腔構造を有しており、施術に困難さがあり、代表的に上顎洞が位置した臼歯部での残存骨が不足した場合である。このような場合、上顎洞内膜を持ち上げて、すなわち、挙上させて空間を形成した後、確保された空間に骨移植をし、ここに、インプラントを埋植する方法を用いることになり、この場合の埋植方法としては、垂直接近法と側方接近法との２つに大別される。
【０００７】
まず、垂直接近法(osteotome  technic)は、インプラント施術部位に残存骨がある程度確保された場合(残存骨の厚さが４mm以上)の方法であって、上顎洞内膜に損傷が発生しないように、オステオトーム(鑿と槌)という機構により上顎骨を複数回叩いて、直径２〜３mmの穴をあけた後、穴を介して移植骨を少しずつ入れる方式であり、これは、施術部位が狭くて、手術後に患者にとって浮腫発生が少ないという長所があるが、施術過程で長い間大変注意深く上顎洞下骨を叩かなければならないため、多くの時間がかかり、施術過程での打撃により、患者にとって相当な不快感を誘発させるという問題点があった。
【０００８】
次に、側方接近法は、インプラント施術部位の残存骨が非常に不足する場合(残存骨の厚さ４mm以下)の方法であって、上顎洞の側面に穴(Windows)を形成して上顎洞内膜を挙上させた後、これを介して骨移植をする方式であり、これは、施術中に上顎洞内膜を直接見ながら持ち上げることができ、上顎洞内膜に損傷が発生する場合が少ないだけでなく、もし損傷が発生したとしても、迅速な後処理が可能であり、一度に所望の量の骨移植材を速く入れることができ、施術時間を短縮できるという長所があるが、高度な熟練度を要求して、手術自体が難しいだけでなく、大きい弁膜を形成しなければならないので、手術後、激しい浮腫が発生するという問題点のため、忌避されている実情にある。
【０００９】
一方、近来は、上記の方法と共に、一般のインプラント用ドリル及びトレフィン・ドリルを用いた上顎洞挙上術が研究されているが、インプラント用ドリルによる術式は、患者の拒否感を最小化しながら、手術の容易成と時間短縮を図れるという長所はあっても、ドリルの回転により上顎骨の穿孔が完了する瞬間、ドリル刃が上顎洞内膜と接触することを遮断するほどの手段が設けられていないため、結果として、ドリル刃により上顎洞内膜が裂けたり、損傷される危険性が非常に高いので、これによる解決策が要求されている実情にある。
【００１０】
これにより、従来には、特許登録第６１９１４５号をもって、‘上顎洞挙上術のためのインプラントドリル’が出願されたことがあり、このような先登録特許での前記インプラントドリルは、管状のボディの端部にカッティング溝が形成され、サンクを具備した中心軸が設けられ、歯科用一般ハンドピースに装着されるインプラント用トレフィン・ドリルであって、前記管状のボディに弾力的に設置され、端部のカッティング溝の中央から長さ方向に出没する突出部材を含み、この場合の前記突出部材は、管状のボディ内部にバネによって支持されるように挿入され、前記突出部材には、凸条が形成され、管状のボディ内部には、凹条が形成され、前記凸条と凹条とが互いに噛み合って、突出部材が管状のボディ内部から離脱しないように構成されたことを提案している。
【００１１】
しかしながら、従来の上顎洞挙上術のためのドリルは、管状のボディの外周部に突出部材を一体に構成することで、切削のための有効切削面積の減少による弊害があるだけでなく、構造が複雑であるので、製作が難しく、施術後の消毒のための分解・組立が難しいという問題点があった。
【００１２】
特に、切削要素である管状のボディ部分がバネにより支持されることで、円滑な切削が困難であるだけでなく、突出部材の先端部が鋭く加工されていることで、上顎洞内膜に対する損傷を誘発する危険性が大きいという短所がある。
【００１３】
従来のもう一つの技術として、ピエゾ・エレクトリック・ディバイスを用いて上顎洞内膜を挙上するものがあり、これは、回転によって骨を削除することではなく、微細な振動によって骨削除をするため、硬い骨は、削除されるが、軟組織は、削除され難いので、上顎洞内膜を損傷させなく、上顎洞骨を穿孔できるという長所がある。
【００１４】
しかしながら、この技術の短所は、骨を削除するのにとても多くの時間がかかるという点と、穿孔時に機構が上顎洞内に挿入される深さを制御する装置がないという点である。緻密骨の厚さが厚い場合、長時間がかかり、時間がかかりすぎると、いつ穿孔されるか分からないために不安であり、力を込め過ぎって、穿孔される瞬間、上顎洞内に機構が入って、物理的な力によって上顎洞内膜が裂けたり、損傷される危険性が大きいという短所がある。
【発明の概要】
【発明が解決しようとする課題】
【００１５】
本発明は、前記のような従来技術の問題点を解決するために創出されたものであって、本発明の目的は、インプラント植立のための上顎骨の穿孔時に上顎洞膜の損傷を誘発しないで、安定した穿孔を実施できるようにして、施術の便宜性と患者の不便さを最小化しながら、ドリルのように早く骨を削除して施術時間を短縮できるインプラント施術用ドリルを提供することにある。すなわち、早く骨を削除しながらも、上顎洞内膜に接触しても上顎洞内膜が穿孔されなく、ドリルが上顎洞骨を穿孔した後、上顎洞内部に過度に挿入されて上顎洞内膜を損傷させないように、安全要素を持つ上顎洞専用ドリルを提供することにある。
【課題を解決するための手段】
【００１６】
上記の目的を実現するための本発明の望ましい実施形態に係る上顎洞膜挙上用ドリルは、上顎洞内膜と面接触をなす曲面処理された枠を持つ接触面と前記接触面に繋がって削除された骨を保管・排出するための骨保持空間と、を含み、前記骨保持空間は、切削方向に向ける第１の内側壁とこの第１の内側壁と対向する第２の内側壁とが繋がることにより形成され、前記第１の内側壁は、前記第２の内側壁より高く形成されることにより、切削方向に露出する切削面を更に含むことをその特徴とする。
【００１７】
本発明の望ましい一つの特徴として、前記接触面は、長尺のボディーの一側に一体に形成されるもので、前記ボディーの直径に比べて拡張された直径を持つか、又は、縮小された直径を持つヘッドに備えられることにある。
【００１８】
本発明の望ましい他の特徴として、前記骨保持空間は、軸線を含むことにある。本発明の望ましい更に他の特徴として、前記ボディーは、他側に歯科用ハンドピースに繋がるサンクが一体に形成されることにある。
【００１９】
本発明の望ましい更に他の特徴として、前記ボディーは、直径が広がった円筒形の嵌め込み部とこの嵌め込み部の一側に直径が広がった円盤状の後退防止板とが形成され、前記嵌め込み部には、中空の管状を持つもので、前記ヘッドの上顎骨の削除深さを制限するストッパーが選択的に備えられることにある。
【００２０】
本発明の望ましい更に他の特徴として、前記骨保持空間は、前記ヘッドからボディーの一側を貫通した穴に形成されることにある。
【００２１】
本発明の望ましい更に他の特徴として、前記骨保持空間は、前記ヘッドからボディーの一側に凹んだ溝に形成されることにある。
【００２２】
本発明の望ましい更に他の特徴として、前記第１の内側壁と第２の内側壁とは、円形、三角形、多角形状のいずれか一つであることにある。
【００２３】
本発明の望ましい更に他の特徴として、前記骨保持空間は、接触面の軸線を中心に１〜３つに形成されることにある。
【００２４】
本発明の望ましい更に他の特徴として、前記接触面は、表面が平坦面、凸に突出された曲面、軸線を中心に周辺部に向けて傾斜を持つ傾斜面のいずれか一つであることにある。
【００２５】
本発明の望ましい更に他の特徴として、前記骨保持空間は、削除骨が次第に排出され得るように、接触面から後方側へ進みながら、平行又は広がるように形成されることにある。
【００２６】
本発明の望ましい更に他の特徴として、前記骨保持空間は、少なくとも２つ以上が備えられ、その一つは、軸線を含むように形成されることにある。
【００２７】
本発明の望ましい更に他の特徴として、前記ストッパーは、前記嵌め込み部に弾性的に嵌め込まれるもので、等間隔をおいて長さ方向に沿って形成されるスリットにより分割して備えられる弾性片となる弾性部と;前記弾性部から延長形成される支持管部と；前記支持管部から延長形成され、前記ヘッドを収容できるほど拡張された直径を持つ接触管部と、を含んで形成されることにある。
【００２８】
本発明の特徴及び利点は、添付の図面に基づいた以下の詳細な説明により更に明らかになるであろう。これに先立って、本明細書及び請求範囲に使用された用語や単語は、通常的で辞典的な意味で解析されるべきではなく、発明者が彼自身の発明を最も最善の方法で説明するために、用語の概念を適切に定義できる旨の原則に立って、本発明の技術的思想に符合する意味と概念として解釈されるべきである。
【発明の効果】
【００２９】
本発明に係る上顎洞膜挙上用ドリルは、上顎骨に接触するドリルの端部であるヘッドの先端面が上顎洞内膜に対して幅広く接触、すなわち、面接触をなし得る形状に提供されることで、前記ヘッドが上顎骨を完全に貫通して、上顎洞内膜に接触する場合にも、上顎洞内膜に対する裂け及び損傷を未然に防止することができ、施術の安全性を高められるだけでなく、施術時間を大幅に短縮できるという利点がある。
【００３０】
また、ボディーの外周部に弾性的に嵌め込まれるストッパーによりドリリングの深さを制限できるので、施術の安全性を確保できるだけでなく、構造が簡素であり、使用及び取扱上の便宜性の向上と共に、大量量産を可能にして、製品の標準化及び経済的な普及を可能にする効果が期待できる。
【図面の簡単な説明】
【００３１】
【図１】本発明の第１の実施形態に係る上顎洞膜挙上用ドリルを示す図である。
【図２】本発明の第１の実施形態に係る上顎洞膜挙上用ドリルを示す図である。
【図３】本発明の第１の実施形態に係る上顎洞膜挙上用ドリルを示す図である。
【図４】本発明の第１の実施形態に係る上顎洞膜挙上用ドリルを示す図である。
【図５】本発明の第１の実施形態に係る上顎洞膜挙上用ドリルを示す図である。
【図６】本発明の第１の実施形態に係る上顎洞膜挙上用ドリルを示す図である。
【図７】本発明の第２の実施形態に係る上顎洞膜挙上用ドリルを示す図である。
【図８】本発明の第２の実施形態に係る上顎洞膜挙上用ドリルを示す図である。
【図９】本発明の第２の実施形態に係る上顎洞膜挙上用ドリルを示す図である。
【図１０】本発明の第２の実施形態に係る上顎洞膜挙上用ドリルを示す図である。
【図１１】本発明の第２の実施形態に係る上顎洞膜挙上用ドリルを示す図である。
【図１２】本発明の第２の実施形態に係る上顎洞膜挙上用ドリルを示す図である。
【図１３】本発明の第３の実施形態に係る上顎洞膜挙上用ドリルを示す図である。
【図１４】本発明の第３の実施形態に係る上顎洞膜挙上用ドリルを示す図である。
【図１５】本発明の第３の実施形態に係る上顎洞膜挙上用ドリルを示す図である。
【図１６】本発明の第３の実施形態に係る上顎洞膜挙上用ドリルを示す図である。
【図１７】本発明の第３の実施形態に係る上顎洞膜挙上用ドリルを示す図である。
【図１８】本発明の第３の実施形態に係る上顎洞膜挙上用ドリルを示す図である。
【図１９】本発明の第４の実施形態に係る上顎洞膜挙上用ドリルを示す図である。
【図２０】本発明の第４の実施形態に係る上顎洞膜挙上用ドリルを示す図である。
【図２１】本発明の第４の実施形態に係る上顎洞膜挙上用ドリルを示す図である。
【図２２】本発明の第４の実施形態に係る上顎洞膜挙上用ドリルを示す図である。
【図２３】本発明の第４の実施形態に係る上顎洞膜挙上用ドリルを示す図である。
【図２４】本発明の第４の実施形態に係る上顎洞膜挙上用ドリルを示す図である。
【図２５】本発明の第５の実施形態に係る上顎洞膜挙上用ドリルを示す図である。
【図２６】本発明の第５の実施形態に係る上顎洞膜挙上用ドリルを示す図である。
【図２７】本発明の第５の実施形態に係る上顎洞膜挙上用ドリルを示す図である。
【図２８】本発明の第５の実施形態に係る上顎洞膜挙上用ドリルを示す図である。
【図２９】本発明の第５の実施形態に係る上顎洞膜挙上用ドリルを示す図である。
【図３０】本発明の第５の実施形態に係る上顎洞膜挙上用ドリルを示す図である。
【図３１】本発明の第６の実施形態に係る上顎洞膜挙上用ドリルを示す図である。
【図３２】本発明の第６の実施形態に係る上顎洞膜挙上用ドリルを示す図である。
【図３３】本発明の第６の実施形態に係る上顎洞膜挙上用ドリルを示す図である。
【図３４】本発明の第６の実施形態に係る上顎洞膜挙上用ドリルを示す図である。
【図３５】本発明の第６の実施形態に係る上顎洞膜挙上用ドリルを示す図である。
【図３６】本発明の第６の実施形態に係る上顎洞膜挙上用ドリルを示す図である。
【発明を実施するための形態】
【００３２】
以下、添付の図面を参照して、本発明に係る上顎洞膜挙上用ドリルを説明すれば、以下の通りである。
【００３３】
まず、図面のうち、同じ構成要素又は部品は、できるだけ同じ参照符号に示していることを留意するべきである。
【００３４】
本発明を説明するに際して、関連した公知の機能、あるいは、構成に関する具体的な説明は、本発明の要旨を曖昧でなくするために省略する。
【００３５】
図１から図６は、本発明の第１の実施形態に係る上顎洞膜挙上用ドリルを示した図であって、図１は、本実施形態に係る斜視図を示したものであり、図２は、図１を基準に上方から見た平面図を示したものであり、図３は、正面図を示したものである。そして、図４は、図１を基準に下方から見た底面を示したものであり、図５は、背面図であり、最後に、図６は、接触面を説明するための図１を基準に左側から見た左側面図である。
【００３６】
これらの図に示しているように、本発明の上顎洞膜挙上用ドリル１は、大きく円柱状を持つもので、所定の長さを持つ管状のボディー２０と、ボディー２０の一側端に一体に備えられるもので、上顎洞骨に対する削除を実施する切削端部であるヘッド１０と、を備え、選択的にヘッド１０と対向するボディー２０の他側端に、歯科用ハンドピースに繋ぐためのサンク１０が形成される。
【００３７】
このような構成は、公知の上顎洞膜挙上用ドリルの構成と同様である。但し、本発明は、ヘッド１０を形成する際に、インプラント施術のための上顎骨の穿孔時に、上顎骨の上部に位置した上顎洞内膜に対する穿孔及び損傷を防止できるように切削面１２aを形成することと、この切削面１２aを含むもので、削除された骨片を保管維持及び排出する骨保持空間１１を形成することと、ヘッド１０を用いた骨削除の深さを制限できるように、ボディー２０上にストッパーを選択的に具備させることを主要な技術的特徴とする。
【００３８】
ヘッド１０は、ボディー２０と同じ直径に備えられるか、あるいは、縮小・拡張された大きさを持つように形成され、その枠は、角が無いように丸み加工、すなわち、曲面に形成される。
【００３９】
このようなヘッド１０は、先端面である接触面１０’を前記上顎骨内膜に接触する際に幅広く面接触をなすことができるように、平坦に加工してできた平坦面か、あるいは、凸に突出された曲面か、あるいは、軸線を中心に周辺部に向けて下向傾斜を持つ緩やかな傾斜角を持つ円錐面として提供されてもよい。
【００４０】
また、接触面１０’には、削除された骨を保管・排出するための一つの骨保持空間１１が形成されるが、この場合の骨保持空間１１は、切削方向に向ける第１の内側壁１２と第１の内側壁１２と対向する第２の内側壁１３とが繋がることにより形成される。本実施形態では、第１の内側壁１２と第２の内側壁１３とは、緩やかな曲面を持つように連結形成されることを示している。
【００４１】
ここで、第１の内側壁１２は、第２の内側壁１３より高く形成されることにより切削方向に露出する切削面１２aを備え、この場合の切削面１２aは、加工方向に回転させた時に、上顎骨に対する削除を実施することになる。このように削除された骨片は、骨保持空間１１に一定量だけ満たされた後、外部に排出する。
【００４２】
一方、骨保持空間１１は、ヘッド１０から底板部１０の一側まで凹んだ形態に形成され、図から分かるように、ヘッド１０の先端面と側面、そしてボディー２０の側面に開口した形態を持つ。また、骨保持空間１１は、軸線を含むことが望ましく、これは、ドリルの回転時、軸線部分で骨削除が安定的に行われるようにするためである。
【００４３】
ボディー２０は、ヘッド１０と共に骨保持空間１１が連結形成され、この骨保持空間１１の後方側外周面には、直径が広がった円筒形状を持つ嵌め込み部２１が形成され、この嵌め込み部２１の一側、すなわち、後方側には、後述するストッパー４０が嵌め込まれた時に後退移動することを防止するための後退防止板２３が形成される。
【００４４】
ストッパー４０は、ヘッド１０の上顎骨削除深さを制限するための中空の管状を持つ部材であって、嵌め込み部２１に弾力的に嵌め込まれる複数の弾性片４１aを管状に配置してできた弾性部４１と、弾性部４１の一側に延長形成されるもので、ボディー２０が円滑に挿入され得る程度の内径を持つ支持管部４３と、支持管部４３の一側に延長形成されるもので、ヘッド１０を収容可能な程度の拡張された直径を持つ接触管部４５と、から構成される。
【００４５】
ここで、弾性部４１は、等間隔をおいて長さ方向に沿って形成されるスリットにより複数の弾性片４１aからなり、このような弾性部４１は、嵌め込み部２１に締り嵌めが可能な程度の内径を持つ。
【００４６】
このようなストッパー４０は、上顎骨の穿孔深さによって多様な長さに用意され、接触管部４５がヘッド１０の露出程度を制限することで、結果として、ヘッド１０による上顎骨の穿孔時に一定の深さを削除すれば、接触管部４５が、上顎骨に接触することで、ヘッド１０が進行出来なくなり、削除される程度を制限できるようになる。
【００４７】
このように構成される本発明の一実施形態に係る上顎洞膜挙上用ドリルは、加工方向に回転させた時、切削面１２aが上顎骨に対する削除を実施することになり、この場合、削除された骨片は、切削面１２aに連結形成された骨保持空間１１に満たされることになり、前記空間に一定量の骨片が満たされると、ボディー２０側に移動排出される。
【００４８】
以後、ヘッド１０の接触面１０’が上顎骨を穿孔すれば、接触面１０’と保持された骨片とにより一つに形成された滑らかな面が、上顎骨内膜に幅広く接触、すなわち、面接触することにより、上顎骨内膜の損傷を防止できるようになる。
【００４９】
図７から図１２は、本発明の第２の実施形態に係る上顎洞膜挙上用ドリルを示した図であって、図７は、本実施形態に係る斜視図を示したものであり、図８は、図７を基準に上方から見た平面図を示したものであり、図９は、正面図を示したものである。そして、図１０は、図７を基準に下方から見た底面を示したものであり、図１１は、背面図であり、最後に、図１２は、接触面を説明するための図７を基準に左側から見た左側面図である。
【００５０】
本実施形態での上顎洞膜挙上用ドリル１は、前述した第１の実施形態とその構成面で同様であり、同じ構成要素に対しては、同じ符号を付して、その詳述は、省略する。
【００５１】
本実施形態において特徴的な要素は、第１の内側壁１２と第２の内側壁１３とは、前述した第１の実施形態とは異なり、図から分かるように繋がる。すなわち、第１の内側壁１２と第２の内側壁１３とは、相互平行に向かい合い、その上、第２の内側壁１３が、第１の内側壁１２と鋭角を持つように連結形成される。
【００５２】
図１３から図１８は、本発明の第３の実施形態に係る上顎洞膜挙上用ドリルを示した図であって、骨保持と膜穿孔をより最小化するための実施例である。図１３は、本実施形態に係る斜視図を示したものであり、図１４は、図１３を基準に上方から見た平面図を示したものであり、図１５は、正面図を示したものである。そして、図１６は、図１３を基準に下方から見た底面を示したものであり、図１７は、背面図であり、最後に、図１８は、接触面を説明するためのものであり、図１３を基準に左側から見た左側面図である。
【００５３】
本実施形態での上顎洞膜挙上用ドリル１は、前述した第１の実施形態とその構成面で同様である。但し、既骨保持空間１１を形成する際に、前述した第１の実施形態では、凹んだ溝形態を提案したが、本実施形態では、貫通された穴状に提供されていることを提案した。これは、上顎洞膜の損傷を最小化するためのより安全な形状であり、但し、外側連結部の切削力の向上のために、外側連結部の切削面は、上部に鋭角に形成されていることが適当である。
【００５４】
図１９から図２４は、本発明の第４の実施形態に係る上顎洞膜挙上用ドリルを示した図であって、図１９は、本実施形態に係る斜視図を示したものであり、図２０は、図１９を基準に上方から見た平面図を示したものであり、図２１は、正面図を示したものである。そして、図２２は、図１９を基に下方から見た底面を示したものであり、図２３は、背面図であり、最後に、図２４は、接触面を説明するための図１９を基準に左側から見た左側面図である。
【００５５】
本実施形態での上顎洞膜挙上用ドリル１は、前述した第１の実施形態とその構成が同様であり、同じ構成要素に対しては、同じ符号を付して、その詳細な説明は、省略する。
【００５６】
本実施形態での特徴的な要素は、骨保持空間１１を形成する際に、図から分かるように、等間隔をおいて２つ備えられることを提案している。
【００５７】
この場合の骨保持空間１１は、第１の内側壁１２と第２の内側壁１３とが向かい合うように配置され、相互緩やかな曲面を持つように連結形成される。
【００５８】
また、前記１対の骨保持空間１１を形成する際に、前記２つの骨保持空間のいずれか一つは、上顎骨に対する均一な削除を実施できるように軸線を含むことが望ましい。
【００５９】
図２５から図３０は、本発明の第５の実施形態に係る上顎洞膜挙上用ドリルを示した図であって、図２５は、本実施形態に係る斜視図を示したものであり、図２６は、図２５を基準に上方から見た平面図を示したものであり、図２７は、正面図を示したものである。そして、図２８は、図２５を基準に下方から見た底面を示したものであり、図２９は、背面図であり、最後に、図３０は、接触面を説明するための図２５を基準に左側から見た左側面図である。
【００６０】
本実施形態での上顎洞膜挙上用ドリル１は、前述した第２の実施形態とその構成が同様であるので、同じ構成要素に対しては、同じ符号を付して、その詳細な説明は、省略する。
【００６１】
本実施形態での特徴的な要素は、骨保持空間１１を形成する際に、図から分かるように、等間隔をおいて２つ備えられることを提案している。
【００６２】
この場合の骨保持空間１１は、第１の内側壁１２と第２の内側壁１３とが向かい合うように配置され、第１の内側壁１２と第２の内側壁１３とが鋭角を持つように連結形成される。
【００６３】
また、前記１対の骨保持空間１１を形成する際に、いずれか一つは、上顎骨に対する効果的な削除を実施できるように軸線を含むことが望ましい。
【００６４】
図３１から図３６は、本発明の第６の実施形態に係る上顎洞膜挙上用ドリルを示した図であって、図３１は、本実施形態に係る斜視図を示したものであり、図３２は、図３１を基準に上方から見た平面図を示したものであり、図３３は、正面図を示したものである。そして、図３４は、図３１を基準に下方から見た底面を示したものであり、図３５は、背面図であり、最後に、図３６は、接触面を説明するための図３１を基準に左側から見た左側面図である。
【００６５】
本実施形態での上顎洞膜挙上用ドリル１は、前述した第３の実施形態とその構成が同様であるので、同じ構成要素に対しては、同じ符号を付して、その詳細な説明は、省略する。
【００６６】
本実施形態での特徴的な要素は、前記上顎洞膜挙上用ドリル１は、前述した第３の実施形態とその構成が同様である。
【００６７】
但し、本実施形態では、骨保持空間１１を形成する際に、図から分かるように、等間隔をおいて２つ備えられることを提案している。
【００６８】
この場合の前記各々の骨保持空間１１は、貫通された穴状に提供され、２つのいずれか一つは、上顎骨に対する均一で効果的な削除を実施できるように、軸線を含むことが望ましい。
【産業上の利用可能性】
【００６９】
一方、本発明は、適用部位を上顎洞として例を上げたが、記載の実施形態に限定されるものではなく、下顎臼歯部等、適用部位を変更して使用することが可能であり、本発明の思想及び範囲を逸脱しないで、多様に修正及び変形できることは、この技術分野において通常の知識を有する者にとっては自明である。したがって、そのような変形例又は修正例は、本発明の特許請求範囲上に属するとすべきである。
【図１】
2010533539.tif 000003
【図２】
2010533539.tif 000004
【図３】
2010533539.tif 000005
【図４】
2010533539.tif 000006
【図５】
2010533539.tif 000007
【図６】
2010533539.tif 000008
【図７】
2010533539.tif 000009
【図８】
2010533539.tif 000010
【図９】
2010533539.tif 000011
【図１０】
2010533539.tif 000012
【図１１】
2010533539.tif 000013
【図１２】
2010533539.tif 000014
【図１３】
2010533539.tif 000015
【図１４】
2010533539.tif 000016
【図１５】
2010533539.tif 000017
【図１６】
2010533539.tif 000018
【図１７】
2010533539.tif 000019
【図１８】
2010533539.tif 000020
【図１９】
2010533539.tif 000021
【図２０】
2010533539.tif 000022
【図２１】
2010533539.tif 000023
【図２２】
2010533539.tif 000024
【図２３】
2010533539.tif 000025
【図２４】
2010533539.tif 000026
【図２５】
2010533539.tif 000027
【図２６】
2010533539.tif 000028
【図２７】
2010533539.tif 000029
【図２８】
2010533539.tif 000030
【図２９】
2010533539.tif 000031
【図３０】
2010533539.tif 000032
【図３１】
2010533539.tif 000033
【図３２】
2010533539.tif 000034
【図３３】
2010533539.tif 000035
【図３４】
2010533539.tif 000036
【図３５】
2010533539.tif 000037
【図３６】
2010533539.tif 000038
【国際調査報告】
2010533539.tif 000039
2010533539.tif 000040